(57)【要約】【課題】  疑似ランダム系列ＰＲＢＳに類した規則で複数の波長を各ユーザに割り当てる光伝送システムで、ＯＳＮＲの劣化が少なく、ユーザの増加に対応しやすい光受信端局装置を実現する。【解決手段】  波長分離装置（５２）は、光伝送路（２０）から入力する光を各波長に分離する。光電変換器（５４ａ，５４ｂ，５４ｃ）は、波長分離装置（５２）で分離された各波長の光成分を電気信号に変換する。演算回路（５６ａ，５６ｂ，５６ｃ）は、複数の光電変換器（５４ａ，５４ｂ，５４ｃ）の出力信号を所定規則に従い加減算して、各ユーザの送信データ（Ｄ１，Ｄ２，Ｄ３）を分離する。【選択図】  図１
2006050470.tif 000002
【特許請求の範囲】
【請求項１】
任意の２光送信装置間で共通する波長数がｎ個（ｎは自然数）であるように各光送信装置にｍ波長の内の２ｎ個の波長が割り当てられている複数の光送信装置（１０ａ，１０ｂ，１０ｃ）と、
当該複数の光送信装置（１０ａ，１０ｂ，１０ｃ）から出力される信号光を伝送する光伝送路（２０）と、
当該光伝送路（２０）から出力される光信号を受信する光受信端局装置（５０，５０ａ）
とを具備する光伝送システムであって、当該光受信端局装置（５０，５０ａ）が、
当該光伝送路（２０）から入力する光を各波長に分離する波長分離装置（５２）と、
当該波長分離装置（５２）で分離された各波長の光成分を電気信号に変換する複数の光電変換器（５４ａ，５４ｂ，５４ｃ）と、
当該複数の光電変換器（５４ａ，５４ｂ，５４ｃ）の出力信号を所定規則に従い加減算して、各光送信装置（１０ａ，１０ｂ，１０ｃ）の送信データ（Ｄ１，Ｄ２，Ｄ３）を分離する複数の演算回路（５６ａ，５６ｂ，５６ｃ）
とを具備することを特徴とする光伝送システム。
【請求項２】
当該各演算回路（５６ａ，５６ｂ，５６ｃ）は、対応する光送信装置（１０ａ，１０ｂ，１０ｃ）に割り当てられた波長に対応する複数の当該光電変換器の出力信号を加算し、対応する光送信装置（１０ａ，１０ｂ，１０ｃ）に割り当てられていない波長に対応する１又は複数の当該光電変換器の出力信号を減算することを特徴とする請求項１に記載の光伝送システム。
【請求項３】
それぞれ当該各光電変換器の出力をｍ値にディジタル化する複数のＡ／Ｄ変換器（６２ａ，６２ｂ，６２ｃ）を具備することを特徴とする請求項１又は２に記載の光伝送システム。
【請求項４】
任意の２ユーザ間で共通する波長数がｎ個（ｎは自然数）であるように各ユーザにｍ波長の内の２ｎ個の波長を割り当てた光伝送システムにおける光受信端局装置であって、
光伝送路から入力する光を各波長に分離する波長分離装置（５２）と、
当該波長分離装置（５２）で分離された各波長の光成分を電気信号に変換する複数の光電変換器（５４ａ，５４ｂ，５４ｃ）と、
当該複数の光電変換器（５４ａ，５４ｂ，５４ｃ）の出力信号を所定規則に従い加減算して、各ユーザの送信データ（Ｄ１，Ｄ２，Ｄ３）を分離する複数の演算回路（５６ａ，５６ｂ，５６ｃ）
とを具備することを特徴とする光受信端局装置。
【請求項５】
当該各演算回路（５６ａ，５６ｂ，５６ｃ）は、対応するユーザに割り当てられた波長に対応する複数の当該光電変換器の出力信号を加算し、対応するユーザに割り当てられていない波長に対応する１又は複数の当該光電変換器の出力信号を減算することを特徴とする請求項４に記載の光受信端局装置。
【請求項６】
それぞれ当該各光電変換器の出力をｍ値にディジタル化する複数のＡ／Ｄ変換器（６２ａ，６２ｂ，６２ｃ）を具備することを特徴とする請求項４又は５に記載の光受信端局装置。
【発明の詳細な説明】
【技術分野】
【０００１】
本発明は、光伝送システム及び光受信端局装置に関し、より具体的には、各ユーザに同じデータを搬送する複数の波長を割り当てる光伝送システム及び光受信端局装置に関する。
【背景技術】
【０００２】
各ユーザに同じデータを搬送する複数の波長を割り当てる光伝送システムとして、ＯＣＤＭ（Optical Code Division Multiplexing）方式が知られている（非特許文献１，２）。
【０００３】
従来のＯＣＤＭ方式では、各ユーザ、即ち各ユーザの各光送信装置に、疑似ランダム系列（ＰＲＢＳ：Psuedo Random Binary Sequence）、例えばＭ系列により互いに重複しない複数の信号波長を割り当てる。例えば、Ｎ段の疑似ランダム系列（２Ｎ−１）を使用した場合には、最大２Ｎ−１のユーザを収容可能である。
【０００４】
２段のＭ系列を使用する場合で、従来例の動作を簡単に説明する。２段のＭ系列は”１０１”であり、波長割当てとして（λ１，λ３）、（λ１，λ２）及び（λ２，λ３）の３通りが可能であり、３ユーザを収容できる。
【０００５】
図５は、３ユーザを収容可能な従来の光伝送システムの概略構成ブロック図を示す。この光伝送システムは、各ユーザ１〜３の光送信装置１０ａ，１０ｂ，１０ｃ，光伝送路２０及び光受信端局装置３０からなる。光伝送路２０は、各光送信装置１０ａ，１０ｂ，１０ｃに接続する光ファイバ２２ａ，２２ｂ，２２ｃと、各光ファイバ２２ａ，２２ｂ，２２ｃからの信号光を合波する光カップラ２４、及び光カップラ２４により合波された信号光を光受信端局装置３０に伝送する光ファイバ２６からなる。ユーザ１の送信データをＤ１、ユーザ２の送信データをＤ２、ユーザ３の送信データをＤ３とする。
【０００６】
ユーザ１の光送信装置１０ａは、データＤ１により強度変調される発光ダイオード１２ａと、光サーキュレータ１４ａと、反射波長λ１，λ３のファイバグレーティング１６ａ，１８ａを具備する。発光ダイオード１２ａの出力光は光サーキュレータ１４ａのポートＡに入力する。光サーキュレータ１４ａのポートＢは、シリアルに接続したファイバグレーティング１６ａ，１１８ａを介して無反射終端されている。光サーキュレータ１４ａのポートＣは、光伝送路２０の光ファイバ２２ａに接続する。
【０００７】
発光ダイオード１２ａから出力されるデータＤ１を搬送する信号光は、光サーキュレータ１４ａのポートＡに入射し、ポートＢから出力される。光サーキュレータ１４ａのポートＢから出力される信号光の内の、波長λ１の成分はファイバグレーティング１６ａにより反射され、波長λ３の成分はファイバグレーティング１８ａにより反射される。これにより、発光ダイオード１２ａから出力されるデータＤ１を搬送する信号光の内の、波長λ1，λ３の成分が、光サーキュレータ１４ａのポートＢに入射し、ポートＣから光ファイバ２２ａに出力される。
【０００８】
このようにして、光送信装置１０ａは、全く同じ強度波形でデータＤ１を搬送する波長λ１，λ３の信号光を光伝送路２０の光ファイバ２２ａに出力する。
【０００９】
ユーザ２の光送信装置１０ｂは、ファイバグレーティング１６ｂ，１８ｂの反射波長がそれぞれ波長λ２，λ３であることを除いて、光送信装置１０ａと同じ構成からなる。従って、光送信装置１０ｂは、全く同じ強度波形でデータＤ２を搬送する波長λ２，λ３の信号光を光伝送路２０の光ファイバ２２ｂに出力する。
【００１０】
ユーザ３の光送信装置１０ｃは、ファイバグレーティング１６ｃ，１８ｃの反射波長がそれぞれ波長λ１，λ２であることを除いて、光送信装置１０ａと同じ構成からなる。従って、光送信装置１０ｃは、全く同じ強度波形でデータＤ３を搬送する波長λ１，λ２の信号光を光伝送路２０の光ファイバ２２ｃに出力する。
【００１１】
光カップラ２４は、光ファイバ２２ａ，２２ｂ，２２ｃからの信号光を合波する。光カップラ２４により合波された信号光は、光ファイバ２６を介して光受信端局装置３０に入射する。
【００１２】
光受信端局装置３０では、光分波器３２が、光ファイバ２６から入射する光をユーザ数に、ここでは３つに分割し、分割光をユーザ毎の光受信装置３４ａ，３４ｂ，３４ｃに印加する。
【００１３】
ユーザ１の光受信装置３４ａは、データ伝送に割当てられた波長λ１，λ３の光成分とそれ以外の光成分を分離する光分波器として、光サーキュレータ３６ａと、波長λ１，λ３をそれぞれ反射するファイバグレーティング３８ａ，４０ａを具備する。光サーキュレータ３６ａのポートＣは、直接、光電変換器４２ａ又はフォトダイオードに接続し、ポートＢは、シリアルに接続されたファイバグレーティング３８ａ，４０ａを介して光電変換器４４ａ又はフォトダイオードに接続する。減算器４６ａが、光電変換器４２ａの出力電気信号から光電変換器４４ａの出力電気信号を減算する。
【００１４】
光分波器３２による分割光は、光サーキュレータ３６ａのポートＡに入射し、ポートＢから、シリアルに接続されたファイバグレーティング３８ａ，４０ａに出力される。ファイバグレーティング３８ａ，４０ａにより、光受信端局装置３０の受信光の内、波長λ１，λ３の光成分が、光サーキュレータ３６ａのポートＢに再入射し、ポートＣから光電変換器４２ａに供給される。また、光受信端局装置３０の受信光の内、波長λ１，λ３の光成分を除いた光成分が、光電変換器４４ａに入射する。この例では、光電変換器４４ａには波長λ２の光成分が入射する。
【００１５】
光電変換器４２ａに入射する波長λ１，λ３の光成分は、光送信装置１０ａからの波長λ１及び波長λ３の信号光、光送信装置１０ｂからの波長λ３の信号光、並びに、光送信装置１０ｃからの波長λ１の信号光からなる。他方、光電変換器４４ａに入射する波長λ２の光成分は、光送信装置１０ｂからの波長λ２の信号光、及び、光送信装置１０ｃからの波長λ２の信号光からなる。
【００１６】
ここで、理解を容易にするために、光送信装置１０ａから出力される波長λ１，λ３の光信号を光電変換して得られる電気信号をそれぞれＲ１（λ１），Ｒ１（λ３）と表記する。同様に、光送信装置１０ｂから出力される波長λ２，λ３の光信号を光電変換して得られる電気信号をそれぞれＲ２（λ２），Ｒ２（λ３）と表記し、光送信装置１０ｃから出力される波長λ１，λ２の光信号を光電変換して得られる電気信号をそれぞれＲ３（λ１），Ｒ３（λ２）と表記する。光伝送路２０及び光受信端局装置３０の各光デバイスの波長依存性を無視できるという条件（このような条件は、容易に達成できる）の下では、信号Ｒ１（λ１）の波形は、信号Ｒ１（λ３）の波形と実質的に同じである。同様に、信号Ｒ２（λ２）の波形は、信号Ｒ２（λ３）の波形と実質的に同じであり、信号Ｒ３（λ１）の波形は、信号Ｒ３（λ２）の波形と実質的に同じである。
【００１７】
光電変換器４２ａ，４４ａはそれぞれ、入射する信号光を電気信号に変換する。従って、光電変換器４２ａの出力する電気信号は、波長λ１で搬送されたデータＤ１の電気信号Ｒ１（λ１）、波長λ３で搬送されたデータＤ１の電気信号Ｒ１（λ３）、波長λ３で搬送されたデータＤ２の電気信号Ｒ２（λ３）、及び、波長λ１で搬送されたデータＤ３の電気信号Ｒ３（λ１）からなる。光電変換器４２ａの出力する電気信号には、データＤ１の受信に不要な電気信号Ｒ２（λ３）及びＲ３（λ１）が混信している。他方、光電変換器４４ａの出力する電気信号は、波長λ２で搬送されたデータＤ２の電気信号Ｒ２（λ２）、及び、波長λ２で搬送されたデータＤ３の電気信号Ｒ３（λ２）からなる。
【００１８】
減算器４６ａは、光電変換器４２ａの出力電気信号、即ち、Ｒ１（λ１）＋Ｒ１（λ３）＋Ｒ２（λ３）＋Ｒ３（λ１）から光電変換器４４ａの出力電気信号Ｒ２（λ２）＋Ｒ３（λ２）を減算する。信号Ｒ２（λ３）の波形は、信号Ｒ２（λ２）の波形と実質的に同じであり、信号Ｒ３（λ１）の波形は、信号Ｒ３（λ２）の波形と実質的に同じであるので、結局、減算器４６ａの出力信号は、
Ｒ１（λ１）＋Ｒ１（λ３）＋Ｒ２（λ３）＋Ｒ３（λ１）−Ｒ２（λ２）−Ｒ３（λ２）
＝Ｒ１（λ１）＋Ｒ１（λ３）
となる。減算器４６ａにより、光電変換器４２ａの出力電気信号から、データＤ１の受信に不要な成分を除去できたことになる。即ち、減算器４６ａの出力はデータＤ１を搬送する信号Ｒ１（λ１）＋Ｒ１（λ３）のみからなる。このようにして、光受信装置３４ａは、光伝送路２０からの受信光から、データＤ１を分離して受信できる。
【００１９】
光受信装置３４ｂは、ファイバグレーティング３８ｂ，４０ｂの反射波長がそれぞれλ２，λ３に設定されることを除いて、光受信装置３４ａと同じ構成からなる。この構成により、光受信装置３４ｂは、光送信装置１０ｂから送信されるデータＤ２を受信できる。
【００２０】
同様に、光受信装置３４ｃは、ファイバグレーティング３８ｃ，４０ｃの反射波長がそれぞれλ１，λ２に設定されることを除いて、光受信装置３４ａと同じ構成からなる。この構成により、光受信装置３４ｃは。光送信装置１０ｃから送信されるデータＤ３を受信できる。
【非特許文献１】Jen-Fa Huang and Chao-Chin Yang, “Reductions of Multiple-Access Interference in Fiber-Grating-Based Optical CDMA Network” IEEE Trans. Commun., vol.50, pp.1680-1687, (2002).
【非特許文献２】岩浪大祐、吉野學、三鬼準基、「ＦＢＧを用いたＯＣＤＭにおける干渉パルス広がり補償法」、電子情報通信学会通信ソサエティ大会 （２００３）
【発明の開示】
【発明が解決しようとする課題】
【００２１】
従来例では、光受信端局装置３０において、光分波器３２が、光伝送路２０から入力する光をユーザ数分だけ分割し、各分割された光をユーザ毎の光受信装置３４ａ，３４ｂ，３４ｃに入力している。従って、ユーザ（子局）数が増えると、各光受信装置に入力する光の光信号対雑音比（ＯＳＮＲ）が大幅に劣化する。また、運用中に新規にユーザを追加することが困難である。
【００２２】
本発明は、ＯＳＮＲの劣化が少ない光伝送システム及び光受信端局装置を提示することを目的とする。
【課題を解決するための手段】
【００２３】
本発明に係る光伝送システムは、任意の２光送信装置間で共通する波長数がｎ個（ｎは自然数）であるように各光送信装置にｍ波長の内の２ｎ個の波長が割り当てられている複数の光送信装置と、当該複数の光送信装置から出力される信号光を伝送する光伝送路と、当該光伝送路から出力される光信号を受信する光受信端局装置とを具備する光伝送システムであって、当該光受信端局装置が、当該光伝送路から入力する光を各波長に分離する波長分離装置と、当該波長分離装置で分離された各波長の光成分を電気信号に変換する複数の光電変換器と、当該複数の光電変換器の出力信号を所定規則に従い加減算して、各ユーザの送信データを分離する複数の演算回路とを具備することを特徴とする。
【００２４】
本発明に係る光受信端局装置は、任意の２ユーザ間で共通する波長数がｎ個（ｎは自然数）であるように各ユーザにｍ波長の内の２ｎ個の波長を割り当てた光伝送システムにおける光受信端局装置であって、
【００２５】
光伝送路から入力する光を各波長に分離する波長分離装置と、当該波長分離装置で分離された各波長の光成分を電気信号に変換する複数の光電変換器と、当該複数の光電変換器の出力信号を所定規則に従い加減算して、各ユーザの送信データを分離する複数の演算回路とを具備することを特徴とする。
【発明の効果】
【００２６】
本発明によれば、光伝送路からの光を先ず各波長に分離してから、個々のデータを分離するので、ＯＳＮＲが劣化しない。また、ユーザの増加に対応しやすい。
【発明を実施するための最良の形態】
【００２７】
以下、図面を参照して、本発明の実施例を詳細に説明する。
【実施例１】
【００２８】
図１は、本発明の一実施例の概略構成ブロック図を示す。なお、光送信装置１０ａ，１０ｂ，１０ｃおよび光伝送路２０の構成は、従来例と同じである。
【００２９】
光受信端局装置３０に代わる本実施例の光受信端局装置５０は、光伝送路２０からの光を波長λ１，λ２，λ３の光成分に分離する波長分離装置５２、波長分離装置５２で分離された各波長成分を電気信号に変換する光電変換器５４ａ，５４ｂ，５４ｃ及び光電変換器５４ａ，５４ｂ，５４ｃの出力電気信号を加減算して、それぞれデータＤ１，Ｄ２，Ｄ３を出力する演算回路５６ａ，５６ｂ，５６ｃからなる。
【００３０】
波長分離装置５２は、上述の通り、光伝送路２０から入力する光を波長λ１，λ２，λ３の各光成分に分離する。波長分離装置５２から出力される波長λ１の光成分は、光送信装置１０ａから出力されるデータＤ１の信号光、及び光送信装置１０ｃから出力されるデータＤ３の信号光からなる。波長分離装置５２から出力される波長λ２の光成分は、光送信装置１０ｂから出力されるデータＤ２の信号光、及び光送信装置１０ｃから出力されるデータＤ３の信号光からなる。波長分離装置５２から出力される波長λ３の光成分は、光送信装置１０ａから出力されるデータＤ１の信号光、及び光送信装置１０ｂから出力されるデータＤ２の信号光からなる。
【００３１】
従来例の説明と同様に、光送信装置１０ａから出力される波長λ１，λ３の光信号を光電変換して得られる電気信号をそれぞれＲ１（λ１），Ｒ１（λ３）と表記する。光送信装置１０ｂから出力される波長λ２，λ３の光信号を光電変換して得られる電気信号をそれぞれＲ２（λ２），Ｒ２（λ３）と表記し、光送信装置１０ｃから出力される波長λ１，λ２の光信号を光電変換して得られる電気信号をそれぞれＲ３（λ１），Ｒ３（λ２）と表記する。ここでも、光伝送路２０、波長分離装置５２及び光電変換器５４ａ，５４ｂ，５４ｃの波長依存性を無視できるという条件（このような条件は、容易に達成できる）の下では、信号Ｒ１（λ１）の波形は、信号Ｒ１（λ３）の波形と実質的に同じである。同様に、信号Ｒ２（λ２）の波形は、信号Ｒ２（λ３）の波形と実質的に同じであり、信号Ｒ３（λ１）の波形は、信号Ｒ３（λ２）の波形と実質的に同じである。
【００３２】
光電変換器５４ａ，５４ｂ，５４ｃは、波長分離装置５２で分離された各波長成分を電気信号に変換する。光電変換器５４ａの出力電気信号は、電気信号Ｒ１（λ１）＋Ｒ３（λ１）からなる。光電変換器５４ｂの出力電気信号は、電気信号Ｒ２（λ２）＋Ｒ３（λ２）からなる。光電変換器５４ｃの出力電気信号は、電気信号Ｒ１（λ３）＋Ｒ２（λ３）からなる。
【００３３】
演算回路５６ａでは、加算器５８ａが、光電変換器５４ａの出力に光電変換器５４ｃの出力を加算し、減算器６０ａが、加算器５８ａの出力から光電変換器５４ｂの出力を減算する。即ち、演算回路５６ａは、
Ｒ１（λ１）＋Ｒ３（λ１）＋Ｒ１（λ３）＋Ｒ２（λ３）−Ｒ２（λ２）−Ｒ３（λ２）
を演算する。上述の通り、実質的には、
Ｒ２（λ２）＝Ｒ２（λ３）
Ｒ３（λ１）＝Ｒ３（λ２）
であるので、結局、演算回路５６ａの出力は、
Ｒ１（λ１）＋Ｒ１（λ３）
となる。演算回路５６ａは、データＤ１を示す電気信号を出力する。
【００３４】
同様に、演算回路５６ｂでは、加算器５８ｂが、光電変換器５４ｂの出力に光電変換器５４ｃの出力を加算し、減算器６０ｂが、加算器５８ｂの出力から光電変換器５４ａの出力を減算する。即ち、演算回路５６ｂは、
Ｒ２（λ２）＋Ｒ３（λ２）＋Ｒ１（λ３）＋Ｒ２（λ３）−Ｒ１（λ１）−Ｒ３（λ１）
を演算する。上述の通り、実質的には、
Ｒ１（λ１）＝Ｒ１（λ３）
Ｒ３（λ１）＝Ｒ３（λ２）
であるので、結局、演算回路５６ｂの出力は、
Ｒ２（λ２）＋Ｒ２（λ３）
となる。演算回路５６ｂは、データＤ２を示す電気信号を出力する。
【００３５】
演算回路５６ｃでは、加算器５８ｃが、光電変換器５４ａの出力に光電変換器５４ｂの出力を加算し、減算器６０ｃが、加算器５８ｃの出力から光電変換器５４ｃの出力を減算する。即ち、演算回路５６ｃは、
Ｒ１（λ１）＋Ｒ３（λ１）＋Ｒ２（λ２）＋Ｒ３（λ２）−Ｒ１（λ３）−Ｒ２（λ３）
を演算していることになる。上述の通り、実質的には、
Ｒ１（λ１）＝Ｒ１（λ３）
Ｒ２（λ２）＝Ｒ２（λ３）
であるので、結局、演算回路５６ｃの出力は、
Ｒ３（λ１）＋Ｒ３（λ２）
となる。演算回路５６ｃは、データＤ３を示す電気信号を出力する。
【００３６】
図示を省略してあるが、演算回路５６ａ，５６ｂ，５６ｃの各出力には、入力信号を２値弁別する弁別回路を接続する。
【００３７】
より一般的には、各ユーザに割当てる波長は、以下の２つの条件に従って決定される。即ち、（１）各ユーザには、ｍ波長の内の偶数個の同数の波長を割当てる。各ユーザに割り当てる波長数を２ｎとすると、ｎは、１以上でｍ／２より小さい自然数となる。また、（２）任意の２つのユーザ間で共通して使用する波長数は、常にｎである。
【００３８】
このような条件を満たす波長の組み合わせは、例えば、疑似ランダム系列ＰＲＢＳ（Pseudo Random Binary Sequence）を利用して決定できる。例えば、７ビットの長さを有する疑似ランダム系列 ”１１１０１００” を利用して、上記２条件を満たす図２に示す組み合わせが可能であり、７ユーザを収容できる。図２に示す例では、各ユーザには、７波長のうちの４波長が割り当てられ、任意の２ユーザ間で共通する波長数は２である。従って、ｍ＝７，ｎ＝２であり、上述の２つの条件を満たす。ＰＲＢＳによる組み合わせでは、波長数ｍと同数のユーザを収容可能である。
【００３９】
３ユーザの場合、従来例及び図１に示す実施例で説明したように、（λ１，λ３）、（λ２，λ３）及び（λ１，λ２）の組み合わせにより、各ユーザに２波長が割り当てられ、任意の２ユーザ間で１波長が共通になる。即ち、ｍ＝３，ｎ＝１である。
【００４０】
図２に示す波長割当て例では、光受信端局装置における演算回路５６ａ，５６ｂ，５６ｃに相当する各ユーザの演算回路の演算式は、以下のようにして決定できる。即ち、図２に相当する表で、割り当てられている波長の光電変換出力を加算し、割り当てられていない波長の光電変換出力を減算する。例えば、図２に示す波長割当てでは、ユーザ１に対しては、波長λ１，λ２，λ３，λ５の光電変換出力を加算し、波長λ４，λ６，λ７の光電変換出力を減算する。
【００４１】
より一般的に、波長数がｍでユーザ数がｋである場合、波長割当ては、図３に示すように表記され得る。この場合、ユーザｉに注目すると、ユーザｉに対する演算回路では、Ｘｉｊ＝１となる波長λｊの光電変換出力を加算し、Ｘｉｊ＝０となる波長λｊの光電変換出力を減算する。
【００４２】
図２及び図３で、ユーザは、上述の規則により複数の波長が割り当てられる光送信装置を意味する。即ち、１顧客が２つの光送信装置を利用可能な場合、それは２ユーザを意味する。
【００４３】
図１に示す実施例では、演算回路５６ａ，５６ｂ，５６ｃは、光電変換器５４ａ，５４ｂ，５４ｃのアナログ出力を加減算したが、図４に示す光受信端局装置５０ａのように、光電変換器５４ａ，５４ｂ，５４ｃのアナログ出力をＡ／Ｄ変換器６２ａ，６２ｂ，６２ｃによりディジタル化した後で、演算回路５６ａ，５６ｂ，５６ｃによる演算をおこなってもよい。３ユーザの場合には、光電変換器５４ａ，５４ｂ，５４ｃの出力は、”０”，”１”，”２”の３つの強度レベルをとり得るので、Ａ／Ｄ変換器は、対応する光電変換器のアナログ出力を３値に離散化する。一般的には，ｍ波長の場合，Ａ／Ｄ変換器は、入力信号をｍ値に離散化する。
【００４４】
光伝送路２０は、光受信端局装置５０が設置される局から各ユーザに信号を伝送するためにも使用されるが、その伝送動作は、本発明とは関係無いので、説明を省略する。
【００４５】
特定の説明用の実施例を参照して本発明を説明したが、特許請求の範囲に規定される本発明の技術的範囲を逸脱しないで、上述の実施例に種々の変更・修整を施しうることは、本発明の属する分野の技術者にとって自明であり、このような変更・修整も本発明の技術的範囲に含まれる。
【図面の簡単な説明】
【００４６】
【図１】本発明の一実施例の概略構成ブロック図である。
【図２】７ユーザの場合の波長割当て例である。
【図３】ｋユーザに一般化した波長割当て表の表記例である。
【図４】本発明の変更実施例の概略構成ブロック図である。
【図５】従来例の概略構成ブロック図である。
【符号の説明】
【００４７】
１０ａ，１０ｂ，１０ｃ：光送信装置
１２ａ，１２ｂ，１２ｃ：発光ダイオード
１４ａ，１４ｂ，１４ｃ：光サーキュレータ
１６ａ，１６ｂ，１６ｃ：ファイバグレーティング
１８ａ，１８ｂ，１８ｃ：ファイバグレーティング
２０：光伝送路
２２ａ，２２ｂ，２２ｃ：光ファイバ
２４：光カップラ
２６：光ファイバ
３０：光受信端局装置
３２：光分波器
３４ａ，３４ｂ，３４ｃ：光受信装置
３６ａ，３６ｂ，３６ｃ：光サーキュレータ
３８ａ，３８ｂ，３８ｃ：ファイバグレーティング
４０ａ，４０ｂ，４０ｃ：ファイバグレーティング
４２ａ，４２ｂ，４２ｃ：光電変換器
４４ａ，４４ｂ，４４ｃ：光電変換器
４６ａ，４６ｂ，４６ｃ：減算器
５０，５０ａ：光受信端局装置
５２：波長分離装置
５４ａ，５４ｂ，５４ｃ：光電変換器
５６ａ，５６ｂ，５６ｃ：演算回路
５８ａ，５８ｂ，５８ｃ：加算器
６０ａ，６０ｂ，６０ｃ：減算器
６２ａ，６２ｂ，６２ｃ：Ａ／Ｄ変換器
【図１】
2006050470.tif 000003
【図２】
2006050470.tif 000004
【図３】
2006050470.tif 000005
【図４】
2006050470.tif 000006
【図５】
2006050470.tif 000007